(57)【特許請求の範囲】
【請求項１】
ベース部と、対象物に貼付されるべき複数のラベルを整列状態で保持するマガジン本体と、前記ラベルの整列方向に関して前記マガジン本体の前記ベース部に対する位置調整を可能とするスライド機構を含み、該スライド機構を介して前記ベース部と前記マガジン本体とを連結する連結部とを備えたラベルマガジンにおいて、
前記連結部は、前記スライド機構のスライド部と前記マガジン本体との間にて、前記整列方向とは異なる方向に関する前記マガジン本体の位置調整を可能とする調整部をさらに含んでいる、ことを特徴とするラベルマガジン。
【請求項２】
前記連結部の前記スライド部と前記マガジン本体との間に配置される構成部品を、前記整列方向とは異なる方向の長孔に挿通されるボルトを利用して相手部品と連結することにより、前記調整部が構成されていることを特徴とする請求項１に記載のラベルマガジン。
【請求項３】
前記スライド機構が、前記マガジン本体の前記整列方向における前端部にて左右両側に設けられ、各スライド機構と前記マガジン本体との間に前記調整部が設けられていることを特徴とする請求項１又は２に記載のラベルマガジン。
【請求項４】
前記ベース部には、前部ベースと、該前部ベースとは別部材として構成された後部ベースとが設けられ、前記連結部には、前記マガジン本体と前記前部ベースとを連結する前側連結部と、前記マガジン本体と前記後部ベースとを連結する後側連結部と、前記前部ベースから前記後部ベースに達する位置まで前記マガジン本体に沿って延ばされて、前記マガジン本体と前記ベース部とを連結する部品の一つとして前記前側連結部と前記後側連結部との間で共用される前後連結部材と、が設けられていることを特徴とする請求項１〜３のいずれか一項に記載のラベルマガジン。
【請求項５】
前記スライド機構の前記スライド部は前記前側連結部と前記後側連結部とで分けて設けられ、前記前後連結部材には、前記スライド機構のレールが前記前側連結部と前記後側連結部との間で共用されるように取り付けられ、各スライド部が前記レール上に移動自在に取り付けられていることを特徴とする請求項４に記載のラベルマガジン。
【請求項６】
前記調整部として、前記スライド部と前記マガジン本体との間にて上下方向への位置調整を可能とする上下方向調整部が設けられていることを特徴とする請求項１〜５のいずれか一項に記載のラベルマガジン。
【請求項７】
前記調整部として、前記スライド部と前記マガジン本体との間にて左右方向への位置調整を可能とする左右方向調整部が設けられていることを特徴とする請求項１〜６のいずれか一項に記載のラベルマガジン。
【発明の詳細な説明】
【技術分野】
【０００１】
本発明は、飲料壜等の対象物にラベルを貼り付けるために使用されるラベルマガジンに関する。
【背景技術】
【０００２】
ビール壜等の飲料壜の表面にラベルを貼り付けるためのラベル貼付装置においては、ラベルマガジンと、そのラベルマガジンからラベルを受け取るパレットとの間の位置関係がラベルの貼り付け不良の発生と密接に関連する。例えば、ラベルマガジンからパレットへとラベルを移す際には、表面に糊が塗布されたパレットを、ラベルマガジンの先端部に繰り出されているラベルに押し付けて最前列の一枚のラベルをパレットへと取り込む必要がある。その取り込みを確実に行うためには、パレットがラベルをそれらの整列方向に押し込む量（これを打込み量と呼ぶ。）を適切に管理する必要がある。打込み量が過大なときは複数枚のラベルが一度に取り出されるおそれがあり、打込み量が不足すればラベルを取り損なうおそれがある。そこで、マガジンの先端部の位置をラベルの整列方向に調整可能としたラベルマガジンが提案されている（特許文献１参照）。胴ラベル及び肩ラベルをそれぞれ整列状態で収容した胴マガジン及び肩マガジンが共通の装置本体に上下に積み重ねて取り付けられた二段デッキ構造のラベル供給装置において、両マガジンを装置本体と一体的にラベルの整列方向に位置調整可能に設けるとともに、肩マガジンを装置本体に対してラベルの整列方向に位置調整可能とすることにより、胴マガジン及び肩マガジンにおける打込み量を個別に調整可能としたラベル供給装置も知られている（例えば特許文献２参照）。その他に、本願発明に関連する先行技術文献として特許文献３が存在する。
【０００３】
【特許文献１】特開２００６−１６０２８２号公報
【特許文献２】登録実用新案第３００９５４０号公報
【特許文献３】特開２０００−８５７３４号公報
【発明の開示】
【発明が解決しようとする課題】
【０００４】
従来のラベルマガジンでは、ラベルの収容部をマガジンのベース部に対してスライド機構を介して取り付けることにより打込み量の調整を可能としている。しかしながら、ラベルマガジンの調整は、打込み量に限らず、パレットに対するラベルあるいはラベルマガジンの傾きといった他の項目についても必要とされることがある。従来のラベルマガジンでは、スライド機構のレールとスライダとの間に適度な遊びを与え、レールに対してスライダを傾けるようにしてラベルの収容部をベース部に対して変位させることにより、ラベルの傾き等を調整している。従って、これらの調整を繰り返すとスライド機構内に歪みが蓄積され、スライド機構の円滑な動作が妨げられて打込み量を円滑に調整できないことがある。
【０００５】
そこで、本発明は、スライド機構における歪みの発生を防止して、打込み量を常に円滑に調整することが可能なラベルマガジンを提供することを目的とする。
【課題を解決するための手段】
【０００６】
本発明は、ベース部（２１）と、対象物（Ｂ）に貼付されるべき複数のラベルを整列状態で保持するマガジン本体（２２）と、前記ラベルの整列方向に関して前記マガジン本体の前記ベース部に対する位置調整を可能とするスライド機構（５０）を含み、該スライド機構を介して前記ベース部と前記マガジン本体とを連結する連結部（２３）とを備えたラベルマガジン（２０）において、前記連結部は、前記スライド機構のスライド部（５０ｂ）と前記マガジン本体との間にて、前記整列方向とは異なる方向に関する前記マガジン本体の位置調整を可能とする調整部（Ａ１、Ａ２、Ａ３、Ａ４）をさらに含んでいることことにより、上述した課題を解決する。
【０００７】
本発明のラベルマガジンによれば、調整部がスライド部とマガジン本体との間に配置されているから、調整部を利用してマガジン本体の位置を調整しても、その位置調整の影響でスライド機構内に歪みが生じるおそれがない。このため、スライド機構を利用して打込み量を常に円滑に調整することができる。
【０００８】
本発明のラベルマガジンにおいては、前記連結部の前記スライド部と前記マガジン本体との間に配置される構成部品（５５、７０、８７、９６）を、前記整列方向とは異なる方向の長孔（５６ａ、７０ａ、８７ａ、９６ａ）に挿通されるボルト（５６、７１、８８、９７）を利用して相手部品（５３、５５、８５、８７）と連結することにより、前記調整部が構成されてもよい。これによれば、簡素な構成で打込み量以外の調整項目を調整することができる。
【０００９】
さらに、前記スライド機構が、前記マガジン本体の前記整列方向における前端部にて左右両側に設けられ、各スライド機構と前記マガジン本体との間に前記調整部（Ａ１、Ａ２）が設けられてもよい。この形態によれば、左右の調整部を利用してマガジン本体の打込み量以外の調整項目を調整できる。スライド機構が左右に配置されているので、マガジン本体をラベルの整列方向に移動させる際の安定性が高く、打込み量をさらに円滑に調整できる。
【００１０】
前記ベース部には、前部ベース（２５）と、該前部ベースとは別部材として構成された後部ベース（２６）とが設けられ、前記連結部には、前記マガジン本体と前記前部ベースとを連結する前側連結部（２３Ａ）と、前記マガジン本体と前記後部ベースとを連結する後側連結部（２３Ｂ）と、前記前部ベースから前記後部ベースに達する位置まで前記マガジン本体に沿って延ばされて、前記マガジン本体と前記ベース部とを連結する部品の一つとして前記前側連結部と前記後側連結部との間で共用される前後連結部材（４１Ｂ）とが設けられてもよい。この形態によれば、前部ベースと後部ベースとを前後連結部材にて相互に結んで剛性を高めることができる。よって、マガジン本体の捩れを抑えて打込み量をさらに円滑に調整することができる。
【００１１】
前記スライド機構の前記スライド部は前記前側連結部と前記後側連結部とで分けて設けられ、前記前後連結部材には、前記スライド機構のレール（５０ａ）が前記前側連結部と前記後側連結部との間で共用されるように取り付けられ、各スライド部が前記レール上に移動自在に取り付けられてもよい。これによれば、前側連結部と後側連結部との間におけるレールの案内方向のずれを抑えて打込み量をさらに円滑に調整することができる。
【００１２】
本発明のラベルマガジンにおいては、調整部によってマガジン本体をラベルの整列方向とは異なる適宜の方向に位置調整することができる。例えば、前記調整部として、前記スライド部と前記マガジン本体との間にて上下方向への位置調整を可能とする上下方向調整部（Ａ１、Ａ３）が設けられてもよいし、これに代えて、又は加えて、前記調整部として、前記スライド部と前記マガジン本体との間にて左右方向への位置調整を可能とする左右方向調整部（Ａ２、Ａ４）が設けられてもよい。
【００１３】
なお、以上の説明では本発明の理解を容易にするために添付図面の参照符号を括弧書きにて付記したが、それにより本発明が図示の形態に限定されるものではない。
【発明の効果】
【００１４】
以上に説明したように、本発明のラベルマガジンによれば、調整部がスライド部とマガジン本体との間に配置されているから、調整部を利用してマガジン本体の位置を調整しても、その位置調整の影響でスライド機構内に歪みが生じるおそれがない。このため、スライド機構を利用して打込み量を常に円滑に調整することができる。
【発明を実施するための最良の形態】
【００１５】
図１は本発明の一形態に係るラベルマガジンが適用されたラベル貼付装置の全体構成を示している。ラベル貼付装置１は、不図示の駆動機構により回転される接着剤塗布ローラ２と、接着剤塗布ローラ２の外周面に接着剤を供給する接着剤供給チューブ３と、接着剤塗布ローラ２に隣接して回転自在に配置されたターンテーブル４と、ターンテーブル４の外周に等間隔で配置され、かつ接着剤転送面５ａを有する複数のパレット５と、各パレット５に供給されるべきラベル６をターンテーブル４の概略半径方向に沿って整列状態で保管するラベル供給装置７と、ラベル供給装置７からラベルを取り出して飲料壜（以下、壜と略称する。）Ｂに貼付するラベル搬送装置８とを備える。接着剤供給チューブ３から、接着剤塗布ローラ２に供給された接着剤がターンテーブル４のパレット５の接着剤転送面５ａに塗布され、その接着剤転送面５ａにラベル供給装置７からラベル６が供給される。接着剤転送面５ａに貼付されたラベル６はラベル搬送装置８まで搬送されて接着剤転送面５ａから剥離され、壜コンベア１０上の壜Ｂに貼付される。
【００１６】
図２はラベル供給装置７の側面図である。ラベル供給装置７は、ラベル貼付装置１のフレーム１ａに支持されたキャリッジ１１と、そのキャリッジ１１上に固定された３本の鉛直方向のマガジン取付軸１２とを備えている。マガジン取付軸１２には、壜Ｂに貼付すべきラベルに対応したラベルマガジンが、ラベル供給装置７の構成要素として選択的に装着される。図２は、胴ラベルマガジン１３が装着された状態を示している。胴ラベルマガジン１３は、壜Ｂの胴部に貼り付けられるべき多数枚の胴ラベル６ａをマガジン本体１４内に整列状態で保管する。図３に示すように、胴ラベルマガジン１３の先端部１３ａは胴ラベル６ａが取り出せるように開口し、その周囲には複数本のラベル押え爪１５が設けられている。
【００１７】
図２に戻って、マガジン本体１４の後端部にはマガジン駆動装置１６が設けられている。そのマガジン駆動装置１６により、マガジン本体１４に収容された胴ラベル６ａの列がラベル押え爪１５に向かって適度な力で押し込まれる。それにより、最前列に位置する胴ラベル６ａがラベル押え爪１５と噛み合ってマガジン先端部１３ａに保持される。マガジン先端部１３ａに保持された胴ラベル６ａに対してパレット５が押し付けられることにより、先端部１３ａから最前列の一枚の胴ラベル６ａがパレット５に取り出される。キャリッジ１１は、フレーム１ａに対して図２の左右方向に変位可能である。キャリッジ１１の移動方向は胴ラベルマガジン１３における胴ラベル６ａの整列方向（図２の矢印Ａ方向）と一致している。従って、キャリッジ１１の位置を変化させることにより、胴ラベルマガジン１３に関する打込み量を調整することができる。なお、胴ラベルマガジン１３は公知のものと同様の構成でよい。
【００１８】
図２に想像線で示したように、胴ラベルマガジン１３の上方にはネックラベルマガジン２０がさらに設けられる。そのネックラベルマガジン２０が本発明の一形態に係るラベルマガジンに相当する。図４はネックラベルマガジン２０の平面図、図５は図４のＶ−Ｖ線に沿ったネックラベルマガジン２０の断面図である。なお、以下では図４及び図５の左方をネックラベルマガジン２０の前方、右方を後方と呼び、図４の上下方向をネックラベルマガジン２０の左右方向と呼ぶ。
【００１９】
ネックラベルマガジン２０は、マガジン取付軸１２に対して着脱自在に装着される単一のユニットとして構成されており、ベース部２１と、マガジン本体２２と、連結部２３とを備えている。ベース部２１は、ネックラベルマガジン２０の全体をラベル供給装置７に取り付けるための基礎として機能するもので、前側の２本のマガジン取付軸１２に嵌め合わされる前部ベース２５と、後側の１本のマガジン取付軸１２に嵌め合わされる後部ベース２６とを備えている。前部ベース２５と後部ベース２６とは互いに分離された別部材として構成されている。マガジン本体２２は、ネックラベルマガジン２０の前後方向に延びるラベルトレイ２８を備えている。そのラベルトレイ２８上には、不図示のネックラベルが前後方向に整列した状態で搭載される。マガジン本体２２の先端部２２ａには、ネックラベルを押えるための複数のラベル押え爪２９が取り付けられている。連結部２３は、マガジン本体２２の前部と前部ベース２５とを連結する前側連結部２３Ａと、マガジン本体２２の後部と後部ベース２６とを連結する後側連結部２３Ｂとを有している。
【００２０】
図６はネックラベルマガジン２０の前部の拡大平面図、図７はネックラベルマガジン２０の前部の部分破断正面図、図８は図７のVIII−VIII線に沿った断面図である。これらの図に示すように、ベース部２１の前部ベース２５のそれぞれには、ネックラベルマガジン２０の左右方向中心側に向かって平板状に延びる支持部２７が一体に設けられている。マガジン本体２２の前端側はそれらの支持部２７に前側連結部２３Ａを介して連結されている。前側連結部２３Ａは、ベース部２１とマガジン本体２２とを連結する機能に加えて、ラベルの貼り付け不良の発生率に影響する打込み量、打込み角度といった各種の調整項目に関する調整を可能とする機能を備えている。打込み量はネックラベルマガジン２０のマガジン本体２２に保管されたネックラベルの列をパレット５が整列方向に押し込む量である。打込み角度は、ターンテーブル４の半径方向に対するネックラベルの整列方向の傾斜角度である。さらに、ラベルの傾きは、図７の紙面上におけるネックラベルの左右方向に対する傾きである。
【００２１】
前側連結部２３Ａは、ベース部２１の支持部２７の下面側に配置される取付基板３１を基礎とし、その取付基板３１からマガジン本体２２に向かって各種の部品を組み付けた概略構成を有している。取付基板３１とマガジン本体２２との間には、ベース部２１に対するマガジン本体２２の上下方向の位置調整を可能とするための一対の上下方向調整部Ａ１と、マガジン本体２２の左右方向の位置調整を可能とするための一対の左右方向調整部Ａ２とが設けられている。これらの調整部Ａ１、Ａ２の詳細は後述する。
【００２２】
取付基板３１は、左右の支持部２７に跨って延びるように設けられている。各支持部２７と取付基板３１とは、ボルト３２及びＴ溝ナット３３によって連結されている。各支持部２７には、ボルト３２が通される通し溝２７ａが設けられ、それらの通し溝２７ａはボルト３２の直径に比して左右方向に十分に長く延ばされている。これにより、支持部２７に対する取付基板３１の左右方向の取付位置が調整可能である。
【００２３】
取付基板３１の左右方向中央にはブロック状の軸支持部材３５が配置されている。軸支持部材３５には左右方向に延ばされた長孔３５ａが設けられ、その長孔３５ａにはリーマボルト３６が通されている。リーマボルト３６は取付基板３１を貫いてその下面に突出し、その突出部分にナット３７がねじ込まれている。軸支持部材３５と左右の支持部２７との間には、それらの左右方向の隙間を埋めるようにしてずれ防止金具３８が差し込まれている。ずれ防止金具３８を取り外すとともにボルト３２を緩めることにより、取付基板３１をリーマボルト３６の中心線Ｂの回りに回転させることができる。取付基板３１の回転により、ラベル供給装置７の中心線Ｘに対するマガジン本体２２の長手方向中心線ＣＬの傾斜角θを適宜に変化させることができる。ラベル供給装置７の中心線Ｘは前側の２本のマガジン取付軸１２の軸心を結ぶ線分Ｙに対する垂直二等分線であり、上述した打込み角度は傾斜角θによって代表することができる。打込み角度θの調整後、軸支持部材３５と支持部２７との間にずれ防止金具３８が差し込まれ、ボルト３２が締め付けられることにより支持部２７に対する取付基板３１の回転が阻止されて打込み角度θのずれが防止される。
【００２４】
図７及び図８から明らかなように、取付基板３１の両端にはレール基板４１Ａ、４１Ｂがボルト４３を利用して固定されている。なお、図８は図７の左側に位置するレール基板４１Ａの周囲の構成を示しているが、特に断りのない限り反対側のレール基板４１Ｂの周囲の構成も同様である。以下では、レール基板４１Ａ、４１Ｂを区別する必要がないときはレール基板４１と表記する。レール基板４１は取付基板３１の下面から吊り下げられるようにして鉛直下方に延びている。レール基板４１は、取付基板３１を越えてマガジン本体２２の後方に延ばされている。但し、レール基板４１Ａは、取付基板３１の幅と同程度だけ後方に延ばされているのに対して、レール基板４１Ｂは前部ベース２５から後部ベース２６に達する位置まで延ばされることにより、前部ベース２５と後部ベース２６とを実質的に連結する前後連結部材として機能する（図４及び図５参照）。
【００２５】
レール基板４１には側板４４がボルト４５を利用して固定されている。側板４４はレール基板４１からネックラベルマガジン２０の左右方向中心側に水平に突出する。各側板４４にはクランプねじ４６を利用してねじ支持板４７が取り付けられている。ねじ支持板４７にはブロック状に突出するねじ受け部４７ａが設けられ、そのねじ受け部４７ａには上下位置調整ねじ４８のねじ軸４８ａが回転自在に挿通されている。ねじ軸４８ａの先端には上下位置調整ブロック４９がねじ込まれている。レール基板４１には、スライド機構としての直線案内軸受５０のレール５０ａがその長手方向をネックラベルマガジン２０の前後方向と一致させた状態でボルト５２を利用して固定されている。直線案内軸受５０は、直線運動の案内に使用される精密部品であり、レール５０ａとスライダ５０ｂとの間にはガタツキが殆どない。直線案内軸受５０のスライダ５０ｂにはスライド基板５３がボルト５４を利用して固定されている。スライド基板５３は、スライダ５０ｂとともに、スライド機構のスライド部として機能する。そのスライド基板５３にはＬ字型のブラケット５５がボルト５６を利用して取り付けられている。
【００２６】
上下位置調整ブロック４９は、ブラケット５５の側面に接して回り止めされている。従って、上下位置調整ねじ４８をねじ支持板４７のねじ受け部４７ａ上で回転させることにより、上下位置調整ブロック４９はブラケット５５の表面に沿って上下に移動する。ブラケット５５のボルト挿通孔５５ａは上下方向の長孔とされ、ボルト５６を緩めることによりブラケット５５の上下方向の変位が許容される。従って、上下位置調整ねじ４８にて上下位置調整ブロック４９の上下方向の位置を調整しつつ、その上下位置調整ブロック４９の下面にブラケット５５を突き当ててボルト５６を締め付けることにより、ブラケット５５の上下方向の位置を調整することができる。その調整操作はスライド基板５３に対して何ら変位を与えず、従って、ブラケット５５の上下位置調整の影響で直線案内軸受５０に歪みが生じるおそれはない。本形態のネックラベルマガジン２０においては、これらの上下位置調整ねじ４８、上下位置調整ブロック４９、ブラケット５５及びボルト５６によって上下方向調整部Ａ１が構成されている。なお、上下位置調整ブロック４９をブラケット５５に対して前後方向にスライド可能かつ上下方向には相対変位不能に噛み合わせてもよい。この場合には、上下位置調整ねじ４８の回転をブラケット５５の上下方向の変位に変換することができる。
【００２７】
さらに、一方のレール基板４１Ａ、すなわち図７の左側のレール基板４１Ａの後端には、ねじ支持板６０がボルト６１を利用して固定されている。ねじ支持板６０の下端には軸受部６０ａが設けられ、その軸受部６０ａには前後位置調整ねじ６２が回転自在かつ軸線方向には相対変位不能に取り付けられている。前後位置調整ねじ６２のねじ軸６２ａにはナット６３がねじ込まれ、そのナット６３はボルト６４を利用してスライド基板５３に固定されている。従って、前後位置調整ねじ６２の軸端の操作ノブ６１ｂを回転操作することにより、スライド基板５３に前後方向の駆動力が付与されてスライダ５０ｂ、スライド基板５３、及びブラケット５５が前後方向に一体的に変位する。これにより打込み量の調整が実現される。なお、ねじ支持板６０にはデジタルインジケータ６５が取り付けられ、前後位置調整ねじ６２のねじ軸６２ａはそのデジタルインジケータ６５を貫通するように取り付けられている。デジタルインジケータ６５は、ねじ軸６２ａの回転角を数値化して表示するインジケータである。そのデジタルインジケータ６５の指示を参照することにより、打込み量の調整を定量的に把握することができる。
【００２８】
図７に示すように、左右のブラケット５５は、連絡板７０を介してマガジン本体２２のラベルトレイ２８と接続されている。これにより、マガジン本体２２の前端部が前側連結部２３Ａを介して前部ベース２５と連結されてマガジン取付軸１２間に支持される。各連絡板７０は、ブラケット５５及びラベルトレイ２８とボルト７１、７２を利用して接続されている。連絡板７０とブラケット５５とを連結するボルト７１は、連絡板７０の長孔７０ａを貫いてブラケット５５にねじ込まれている。長孔７０ａはネックラベルマガジン２０の左右方向に延びており（図６参照）、ボルト７１を緩めることにより、マガジン本体２２をブラケット５５に対して左右方向に位置調整することができる。本形態のネックラベルマガジン２０においては、これらのブラケット５５、連絡板７０及びボルト７１により左右方向調整部Ａ２が構成される。
【００２９】
図４及び図５に戻って、上述したようにレール基板４１Ｂは後部ベース２６に向かって延ばされており、そのレール基板４１Ｂに取り付けられた直線案内軸受５０のレール５０ａも同様に後部ベース２６に向かって延ばされている。そして、これらのレール基板４１Ｂ及びレール５０ａの後端部は後側連結部２３Ｂの一部として使用される。図９は図５のIX−IX線に沿った断面図である。但し、図９では後部ベース２６の一部及びマガジン取付軸１２を想像線にて示している。マガジン本体２２の後端部は後側連結部２３Ｂを介して後部ベース２６に連結されることにより、片持ち状態で支持されている。後側連結部２３Ｂには、ベース部２１に対するマガジン本体２２の上下方向の位置調整を可能とするための上下方向調整部Ａ３と、マガジン本体２２の左右方向の位置調整を可能とするための左右方向調整部Ａ４とが設けられている。調整部Ａ３、Ａ４の詳細は後述する。
【００３０】
後部ベース２６にはマガジン取付軸１２から前方に平板状に延びる支持部８０が設けられている。支持部８０の下面には、取付基板８１がボルト８２及びＴ溝ナット８３を利用して取り付けられている。ボルト８２は、支持部８０の長孔８０ａ及び取付基板８１の長孔８１ａを貫いてＴ溝ナット８３にねじ込まれている。図４から明らかなように、支持部８０の長孔８０ａは前後方向に延び、取付基板８１の長孔８１ａは左右方向に延びている。従って、ボルト８２を緩めることにより、支持部８０に対する取付基板８１の位置を前後左右に変化させることができる。この調整機能は、リーマボルト３６の回りにマガジン本体２２を旋回させる場合に、そのマガジン本体２２の後端部の位置を変化させるためのものである。
【００３１】
図９に示したように、取付基板８１には、レール基板４１Ｂの後端部がボルト８４を利用して固定されている。そのレール基板４１Ｂには直線案内軸受５０のレール５０ａがボルト５２を利用して固定されている。そのレール５０ａには、上述した前側連結部２３Ａのスライダ５０ｂとは別のスライダ５０ｂが取り付けられており、そのスライダ５０ｂにはスライド基板８５がボルト８６を利用して固定されている。スライド基板８５は、スライダ５０ｂとともに、スライド機構のスライド部として機能する。スライド基板８５には、Ｌ字型のブラケット８７がボルト８８を利用して取り付けられている。
【００３２】
レール基板４１Ｂの後端部には側板９０がボルト９１を利用して固定されている。側板９０はレール基板４１Ｂからネックラベルマガジン２０の左右方向中心側に水平に突出する。側板９０にはクランプねじ９２を利用してねじ支持板９３が取り付けられている。ねじ支持板９３にはブロック状に突出するねじ受け部９３ａが設けられ、そのねじ受け部９３ａには上下位置調整ねじ９４のねじ軸９４ａが回転自在に挿通されている。ねじ軸９４ａの先端には上下位置調整ブロック９５がねじ込まれている。
【００３３】
上下位置調整ブロック９５は、ブラケット８７の側面に接して回り止めされている。従って、上下位置調整ねじ９４をねじ支持板９２のねじ受け部９２ａ上で回転させることにより、上下位置調整ブロック９５はブラケット８７の表面に沿って上下に移動する。ブラケット８７のボルト挿通孔８７ａは上下方向の長孔とされ、ボルト８８を緩めることによりブラケット８７の上下方向の変位が許容される。従って、上下位置調整ねじ９４にて上下位置調整ブロック９５の上下方向の位置を調整しつつ、その上下位置調整ブロック９５の下面にブラケット８７を突き当ててボルト８８を締め付けることにより、ブラケット８７の上下方向の位置を調整することができる。その調整操作はスライド基板８５に対して何ら変位を与えず、従って、ブラケット８７の上下位置調整の影響で直線案内軸受５０のレール５０ａとスライダ５０ｂとの間に歪みが生じるおそれはない。これらの上下位置調整ねじ９４、上下位置調整ブロック９５、ブラケット８７及びボルト８８によって上下方向調整部Ａ３が構成されている。なお、上下位置調整ブロック９５をブラケット８７に対して前後方向にスライド可能かつ上下方向には相対変位不能に噛み合わせてもよい。この場合には、上下位置調整ねじ９４の回転をブラケット８７の上下方向の変位に変換することができる。
【００３４】
後側連結部２３Ｂのブラケット８７は、連絡板９６を介してマガジン本体２２のラベルトレイ２８と接続されている。これにより、マガジン本体２２の後端部が後側連結部２３Ｂを介して後部ベース２６と連結されて支持される。連絡板９６は、ブラケット８７及びラベルトレイ２８とボルト９７、９８を利用して接続されている。連絡板９６とブラケット８７とを連結するボルト９７は、連絡板９６の長孔９６ａを貫いてブラケット８７にねじ込まれている。長孔９６ａはネックラベルマガジン２０の左右方向に延びており（図４参照）、ボルト９７を緩めることにより、マガジン本体２２をブラケット８７に対して左右方向に位置調整することができる。本形態のネックラベルマガジン２０においては、これらのブラケット８７、連絡板９６及びボルト９７により左右方向調整部Ａ４が構成される。
【００３５】
図６及び図７に示すように、マガジン本体２２には、ラベル押え１００が設けられている。ラベル押え１００は、ラベルトレイ２８に沿って前後方向に移動可能である。マガジン本体２２の後端部にはマガジン駆動装置１０１が設けられている。そのマガジン駆動装置１０１はラベル押え１００をネックラベルマガジン２０の前端に向かって適当な力で駆動する。ラベル押え１００がマガジン駆動装置１０１にて駆動されることにより、ラベルトレイ２８に収容されているネックラベルの列がマガジン先端部のラベル押え爪２９に向かって押し込まれる。
【００３６】
以上のように構成されたネックラベルマガジン２０においては、前部ベース２５を前側のマガジン取付軸１２に、後部ベース２６を後側のマガジン取付軸１２にそれぞれ嵌め合わせて適切な位置で固定することにより、ラベル供給装置７のキャリッジ１１上に支持される。この状態で、リーマボルト３６の回りに取付基板３１を旋回させることにより、連結部２３及びマガジン本体２２を一体的に回転させて打込み角度θを調整することができる。この場合には、直線案内軸受５０も一緒に回転するため、その内部に歪みが生じることはない。また、スライド基板５３、８５に対してブラケット５５、８７の高さを変化させ、あるいは、ブラケット５５、８７に対して連絡板７０、９６の左右方向の位置を変化させることにより、直線案内軸受５０の内部に歪みを生じさせることなく、マガジン本体２２の高さや傾きを適宜に調整することができる。従って、前後位置調整ねじ６２を操作した場合には、レール５０ａに対してスライダ５０ｂが常に円滑に移動し、打込み量を容易かつ高精度に調整することができる。
【００３７】
本形態のネックラベルマガジン２０によれば、スライド機構としての直線案内軸受５０が、マガジン本体２２の前端部にて左右両側に設けられ、各直線案内軸受５０とマガジン本体２２との間に調整部Ａ１、Ａ２が設けられているため、それぞれの調整部Ａ１、Ａ２の調整量を適宜に設定することによりマガジン本体２２の高さや傾きを柔軟に調整することができる。しかも、直線案内軸受５０が左右に配置されているので、マガジン本体２２をラベルの整列方向に移動させる際の安定性が高く、打込み量をさらに円滑に調整できる。マガジン本体２２とベース部２１とを連結する部品の一つとして、前側連結部２３Ａと後側連結部２３Ｂとの間でレール基板４１Ｂが共用されるため、ラベルマガジン２０の剛性を高めることができ、それにより、マガジン本体２２の捩れを抑えて打込み量をさらに円滑に調整することができる。しかも、そのレール基板４１Ｂにレール５０ａを取り付けてこれを前後の連結部２３Ａ、２３Ｂで共用することにより、前側連結部２３Ａと後側連結部２３Ｂとの間におけるレール５０ａの案内方向のずれを抑えて打込み量をさらに円滑に調整することができる。
【００３８】
本発明は上述した形態に限定されることなく、適宜の形態にて実施することができる。例えば、調整部は上下方向調整部と左右方向調整部とを組み合わせた構成に限らず、スライド機構のスライド部とマガジン本体との間に配置される限りにおいて適宜の構成を採用してよい。ベース部の前部ベースと後部ベースとは一体化されてもよい。ベース部に関しては、ラベルマガジンが取り付けられる相手側の構成に対応して適宜に変更されてよい。本発明のラベルマガジンは、ネックラベルに適用される例に限定されることなく、各種のラベルのマガジンとして構成されてよい。ラベルの貼付対象物も飲料壜に限らず、適宜に変更されてよい。
【図面の簡単な説明】
【００３９】
【図１】本発明の一形態に係るラベルマガジンが適用されるラベル貼付装置の全体構成を示す図。
【図２】ラベル供給装置の側面図。
【図３】胴ラベルマガジンの先端部の拡大斜視図。
【図４】ネックラベルマガジンの平面図。
【図５】図４のＶ−Ｖ線に沿った断面図。
【図６】ネックラベルマガジンの前部の拡大平面図。
【図７】ネックラベルマガジンの前部の部分破断正面図。
【図８】図７のVIII−VIII線に沿った断面図。
【図９】図５のIX−IX線に沿った断面図。
【符号の説明】
【００４０】
１  ラベル貼付装置
７  ラベル供給装置
２０  ネックラベルマガジン
２１  ベース部
２２  マガジン本体
２３  連結部
２３Ａ  前側連結部
２３Ｂ  後側連結部
２５  前部ベース
２６  後部ベース
２７  支持部
２８  ラベルトレイ
２９  ラベル押え爪
３１  取付基板
３６  リーマボルト
４１Ａ  レール基板
４１Ｂ  レール基板（前後連結部材）
４８  上下位置調整ねじ
４９  上下位置調整ブロック
５０  直線案内軸受（スライド機構）
５０ａ  レール
５０ｂ  スライダ（スライド部）
５３  スライド基板
５５  ブラケット
５５ａ  ボルト挿通孔
５６  ボルト
６２  前後位置調整ねじ
６５  デジタルインジケータ
７０  連絡板
７０ａ  長孔
７１  ボルト
８５  スライド基板
８５  上下位置調整ブロック
８７  ブラケット
８７ａ  ボルト挿通孔
８８  ボルト
９４  上下位置調整ねじ
９５  上下位置調整ブロック
９６  連絡板
９６ａ  長孔
９７  ボルト
Ａ１  上下方向調整部
Ａ２  左右方向調整部
Ａ３  上下方向調整部
Ａ４  左右方向調整部
Ｂ  飲料壜（対象物）
【図１】
0005047776.tif 000002
【図２】
0005047776.tif 000003
【図３】
0005047776.tif 000004
【図４】
0005047776.tif 000005
【図５】
0005047776.tif 000006
【図６】
0005047776.tif 000007
【図７】
0005047776.tif 000008
【図８】
0005047776.tif 000009
【図９】
0005047776.tif 000010